(57)【要約】      （修正有）【課題】ＲＦＩＤタグの位置情報に基づいて多様な情報を配信する場合に、ユーザの携帯端末側で取得する情報の種別選択を簡易なものとし、所望とする情報に簡易且つ効率的にアクセスできるようするコンテンツ配信装置等を提供する。【解決手段】ＲＦＩＤタグに記憶された位置コードを取得すると共にコンテンツを表示する端末装置と通信可能なコンテンツ配信装置１であって、位置コードを受け付ける受付部１１ａと、コンテンツを、少なくとも位置コードと、端末装置側に配信すべきコンテンツの種別に係る選択項目とに対応付けて記憶した記憶部１３と、記憶部より少なくとも位置コード及び選択項目に対応するコンテンツを抽出する抽出部１１ｂと、抽出したコンテンツを端末装置に送信する送信部１１ｄとを備える。選択項目とは、例えば５Ｗ１Ｈの６項目である。【選択図】図２
2020042690.tif 000002
【特許請求の範囲】
【請求項１】
ＲＦＩＤタグに記憶された位置コードを取得すると共にコンテンツを表示する端末装置と通信可能なコンテンツ配信装置であって、
前記位置コードと配信すべきコンテンツの種別に係る選択項目を受け付ける受付部と、
前記コンテンツを、少なくとも前記位置コードと、前記端末装置側に配信すべきコンテンツの種別に係る選択項目とに対応付けて記憶した記憶部と、
前記記憶部より少なくとも前記位置コード及び前記選択項目に対応する前記コンテンツを抽出する抽出部と、
前記抽出部で抽出した前記コンテンツを前記端末装置に送信する送信部と、を備えた
コンテンツ配信装置。
【請求項２】
前記記憶部は、前記コンテンツを、更に目的地コードにも対応付けて記憶しており、
前記抽出部は、前記記憶部より、前記位置コード、前記選択項目、及び前記目的地コードに対応する前記コンテンツを抽出する
請求項１に記載のコンテンツ配信装置。
【請求項３】
前記選択項目とは、Ｗｈａｔ、Ｗｈｉｃｈ、Ｗｈｅｒｅ、Ｗｈｅｎ、Ｗｈｙ、及びＨｏｗからなる５Ｗ１Ｈの６項目である
請求項１又は請求項２に記載のコンテンツ配信装置。
【請求項４】
ＲＦＩＤタグに記憶された位置コードを取得すると共にコンテンツを表示する端末装置と通信可能なコンテンツ配信装置によるコンテンツ配信方法であって、
前記位置コードと配信すべきコンテンツの種別に係る選択項目を受け付けるステップと、
前記コンテンツを、少なくとも前記位置コードと、前記端末装置側に配信すべきコンテンツの種別に係る選択項目とに対応付けて記憶した記憶部より、少なくとも前記位置コード及び前記選択項目に対応する前記コンテンツを抽出するステップと、
前記抽出部で抽出した前記コンテンツを前記端末装置に送信するステップと、を有する
コンテンツ配信方法。
【請求項５】
ＲＦＩＤタグに記憶された位置コードを取得すると共にコンテンツを表示する端末装置と通信可能なコンテンツ配信装置で実行されるコンテンツ配信プログラムであって、
前記コンテンツ配信装置を、
前記位置コードと配信すべきコンテンツの種別に係る選択項目を受け付ける受付部、
前記コンテンツを、少なくとも前記位置コードと、前記端末装置側に配信すべきコンテンツの種別に係る選択項目とに対応付けて記憶した記憶部より、少なくとも前記位置コード及び前記選択項目に対応する前記コンテンツを抽出する抽出部、及び
前記抽出部で抽出した前記コンテンツを前記端末装置に送信する送信部、
として機能させるコンテンツ配信プログラム。
【請求項６】
端末装置と、前記端末装置と通信可能なコンテンツ配信装置と、を含むコンテンツ配信システムであって、
前記端末装置は、
前記ＲＦＩＤタグと近距離無線通信を行うことで前記位置コードを取得し、前記位置コードを前記コンテンツ配信装置に送信し、前記コンテンツ配信装置から前記コンテンツを受信すると前記コンテンツを表示するよう制御する制御部、を備え、
前記コンテンツ配信装置は、
前記位置コードと配信すべきコンテンツの種別に係る選択項目を受け付ける受付部と、
前記コンテンツを、少なくとも前記位置コードと、前記端末装置側に配信すべきコンテンツの種別に係る選択項目とに対応付けて記憶した記憶部と、
前記記憶部より少なくとも前記位置コード及び前記選択項目に対応する前記コンテンツを抽出する抽出部と、
前記抽出部で抽出した前記コンテンツを前記端末装置に送信する送信部と、を備えた
コンテンツ配信システム。
【請求項７】
コンテンツ配信装置と通信自在な端末装置で実行される表示プログラムであって、
前記端末装置を、
ＲＦＩＤタグとの近距離無線通信により位置コードを取得する取得部、
少なくとも前記位置コードを前記コンテンツ配信装置に送信することでコンテンツの配信要求を行うと共に、配信すべきコンテンツの種別に係る選択項目の情報を前記コンテンツ配信装置に送信する要求部、
前記コンテンツ配信装置からのコンテンツを受信する受信部、及び
前記コンテンツを表示部に表示するように制御する表示制御部、
として機能させる表示プログラム。
【発明の詳細な説明】
【技術分野】
【０００１】
本発明は、コンテンツ配信装置、コンテンツ配信方法、コンテンツ配信プログラム、コンテンツ配信システム、及び表示プログラムに関する。
【背景技術】
【０００２】
従来、ＱＲコード（登録商標）等の２次元コードや、ＮＦＣ（Near Field Communication）タグ等のＲＦＩＤ（radio frequency identifier）タグに位置情報を記録し、当該位置情報を用いて各種コンテンツを配信する技術がある。
【０００３】
例えば、特許文献１では、携帯端末とサーバを有する現在地確認システムが開示されている。同システムでは、現在地確認用の平面部材の表面に位置情報と方角情報とサーバへのアクセス情報とを含む二次元コード又はＮＦＣタグが付されている。サーバは、二次元コード又はＮＦＣタグを読み取った携帯端末からアクセスされると、受信した位置情報を基に対応する案内図を取得し、当該案内図を携帯端末に送信する。
【先行技術文献】
【特許文献】
【０００４】
【特許文献１】特開２０１７−１３３９３９号公報
【発明の概要】
【発明が解決しようとする課題】
【０００５】
しかしながら、特許文献１に開示された技術では、ＮＦＣタグの位置情報に基づいて取得できる情報が限定的であった。また、仮に、ＲＦＩＤタグの位置情報を取得し、当該位置情報に基づいて多様な情報を送信できるとしても、ユーザの携帯端末に配信するコンテンツの種別選択の便宜を図る技術は、従来存在しなかった。
【０００６】
本発明は、このような課題に鑑みてなされたものであり、その目的とするところは、ＲＦＩＤタグの位置情報等に基づいて多様なコンテンツを配信する場合に、ユーザの端末装置側で取得するコンテンツの種別の選択を簡易なものとし、所望とするコンテンツに簡易且つ効率的にアクセスできるようにすることにある。さらに、例えば外国人等に対して情報取得のために不慣れな言語の単語の入力作業を不要とし、そもそも検索キーワードが分からず情報取得ができないといった状況も回避することにある。
【課題を解決するための手段】
【０００７】
上記課題を解決するため、本発明の第１の態様に係るコンテンツ配信装置は、ＲＦＩＤタグに記憶された位置コードを取得すると共にコンテンツを表示する端末装置と通信可能なコンテンツ配信装置であって、前記位置コードと配信すべきコンテンツの種別に係る選択項目を受け付ける受付部と、前記コンテンツを、少なくとも前記位置コードと、前記端末装置側に配信すべきコンテンツの種別に係る選択項目とに対応付けて記憶した記憶部と、前記記憶部より少なくとも前記位置コード及び前記選択項目に対応する前記コンテンツを抽出する抽出部と、前記抽出部で抽出した前記コンテンツを前記端末装置に送信する送信部と、を備えている。
【０００８】
本発明の第２の態様に係るコンテンツ配信方法は、ＲＦＩＤタグに記憶された位置コードを取得すると共にコンテンツを表示する端末装置と通信可能なコンテンツ配信装置によるコンテンツ配信方法であって、前記位置コードと配信すべきコンテンツの種別に係る選択項目を受け付けるステップと、前記コンテンツを、少なくとも前記位置コードと、前記端末装置側に配信すべきコンテンツの種別に係る選択項目とに対応付けて記憶した記憶部より、少なくとも前記位置コード及び前記選択項目に対応する前記コンテンツを抽出するステップと、前記抽出部で抽出した前記コンテンツを前記端末装置に送信するステップと、を有している。
【０００９】
本発明の第３の態様に係るコンテンツ配信プログラムは、ＲＦＩＤタグに記憶された位置コードを取得すると共にコンテンツを表示する端末装置と通信可能なコンテンツ配信装置で実行されるコンテンツ配信プログラムであって、前記コンテンツ配信装置を、前記位置コードと配信すべきコンテンツの種別に係る選択項目を受け付ける受付部、前記コンテンツを、少なくとも前記位置コードと、前記端末装置側に配信すべきコンテンツの種別に係る選択項目とに対応付けて記憶した記憶部より、少なくとも前記位置コード及び前記選択項目に対応する前記コンテンツを抽出する抽出部、及び前記抽出部で抽出した前記コンテンツを前記端末装置に送信する送信部として機能させる。
【００１０】
本発明の第４の態様に係るコンテンツ配信システムは、端末装置と、前記端末装置と通信可能なコンテンツ配信装置と、を含むコンテンツ配信システムであって、前記端末装置は、前記ＲＦＩＤタグと近距離無線通信を行うことで前記位置コードを取得し、前記位置コードを前記コンテンツ配信装置に送信し、前記コンテンツ配信装置から前記コンテンツを受信すると前記コンテンツを表示するよう制御する制御部、を備え、前記コンテンツ配信装置は、前記位置コードと配信すべきコンテンツの種別に係る選択項目を受け付ける受付部と、前記コンテンツを、少なくとも前記位置コードと、前記端末装置側に配信すべきコンテンツの種別に係る選択項目とに対応付けて記憶した記憶部と、前記記憶部より少なくとも前記位置コード及び前記選択項目に対応する前記コンテンツを抽出する抽出部と、前記抽出部で抽出した前記コンテンツを前記端末装置に送信する送信部と、を備えている。
【００１１】
本発明の第５の態様に係る表示プログラムは、コンテンツ配信装置と通信自在な端末装置で実行される表示プログラムであって、前記端末装置を、ＲＦＩＤタグとの近距離無線通信により位置コードを取得する取得部、少なくとも前記位置コードを前記コンテンツ配信装置に送信することでコンテンツの配信要求を行うと共に、配信すべきコンテンツの種別に係る選択項目の情報を前記コンテンツ配信装置に送信する要求部、前記コンテンツ配信装置からのコンテンツを受信する受信部、及び前記コンテンツを表示部に表示するように制御する表示制御部として機能させる。
【発明の効果】
【００１２】
本発明によれば、ＲＦＩＤタグの位置情報等に基づいて多様なコンテンツを配信する場合にユーザの端末装置側で取得するコンテンツの種別の選択を簡易なものとし、所望とするコンテンツに簡易且つ効率的にアクセスできるようにすることができる。さらに、例えば外国人等に対して情報取得のために不慣れな言語の単語の入力作業を不要とし、そもそも検索キーワードが分からず情報取得ができないといった状況も回避できる。
【図面の簡単な説明】
【００１３】
【図１】図１は、本発明の実施形態に係るコンテンツ配信システムの構成図である。
【図２】図２は、同システムにおけるコンテンツ配信装置の構成図である。
【図３】図３は、同システムにおける端末装置の構成図である。
【図４】図４は、同システムにおけるＮＦＣタグの構成図である。
【図５】図５は、同システムによるユーザ登録の流れを示すフローチャートである。
【図６】図６は、同システムによるコンテンツ取得の処理の流れを示すフローチャートである。
【図７】図７は、同システムの端末装置側の画面表示例を示す図である。
【図８】図８は、同システムの端末装置側の他の画面表示例を示す図である。
【図９】図９は、同システムの端末装置側の他の画面表示例を示す図である。
【図１０】図１０は、同システムの端末装置側の他の画面表示例を示す図である。
【図１１】図１１は、同システムの端末装置側の他の画面表示例を示す図である。
【図１２】図１２は、同システムで用いるテーブルの一例を示す図である。
【図１３】図１３は、同システムの端末装置側に提供されるコンテンツを示す図である。
【図１４】図１４は、同システムで用いるテーブルの一例を示す図である。
【図１５】図１５は、同システムの端末装置側に提供されるコンテンツを示す図である。
【図１６】図１６は、同システムで用いるテーブルの一例を示す図である。
【発明を実施するための形態】
【００１４】
以下、図面を参照しつつ、本発明の一実施形態について説明する。
【００１５】
本発明の実施形態に係るコンテンツ配信システムは、観光地や駅構内に配設されたＮＦＣタグ等のＲＦＩＤタグにスマートフォン等の端末装置をかざすと、両者間で近距離無線通信が行われ、端末装置がＮＦＣタグ等に格納された位置情報を取得し、当該位置情報等をコンテンツ配信装置側に送信することで、所望とするコンテンツを簡易且つ効率よく取得できるようにしたものである。そして、端末装置側では、このようなコンテンツの取得に際して、所望とするコンテンツの種別を選択できるようになっているので、ユーザのニーズに合致したコンテンツだけを効率よく取得し、表示することができる。以下、ＲＦＩＤタグとしてＮＦＣタグを採用した例を挙げて詳述する。
【００１６】
図１には、本発明の実施形態に係るコンテンツ配信システムの構成を示し説明する。
【００１７】
同図に示されるように、コンテンツ配信システムには、コンテンツ配信装置１と、端末装置２、及びＲＦＩＤタグの一種であるＮＦＣタグ３とが含まれる。コンテンツ配信装置１と、端末装置２とは、インターネット等の所定の通信網４を介して、有線又は無線により通信可能に接続されている。ここでは、端末装置２を１台、図示しているが、複数の端末装置２に対応可能である。また、ＮＦＣタグ３は、観光地、駅構内、店舗の店頭、商店街等、各所に複数設置されてよい。
【００１８】
端末装置２は、スマートフォンや、タブレット型端末や、ノート型パーソナルコンピュータ（PC；Personal Computer）や、デスクトップＰＣや、携帯電話機や、ＰＤＡ（Personal Digital Assistant）等で実現され、ユーザ操作に基づいて各種動作を実行する。この端末装置２には、所定の表示プログラムがインストールされ、当該表示プログラムが実行されると、コンテンツ配信装置１に対する各種要求、並びにテキストデータ、画像データ、及び音声データ等のコンテンツの取得、表示を行う。コンテンツ配信装置１は、サーバ装置等により実現され、端末装置２からの要求に応じて所定のコンテンツを送信する。ＮＦＣタグ３には、少なくとも位置情報としての位置コードが記憶されている。
【００１９】
このような構成において、端末装置２をＮＦＣタグ３にかざすと、両者間で近距離無線通信が実行され、端末装置２は位置情報としての位置コードを取得する。端末装置２の表示プログラムの実行により実現される機能により、少なくとも位置コードはコンテンツ配信装置１側に送信される。コンテンツ配信装置１では、少なくとも位置コードに対応するコンテンツを特定し、当該コンテンツを端末装置２に送信する。端末装置２では、このコンテンツを取得すると、当該コンテンツに基づく表示を行う。
【００２０】
このコンテンツ配信システムでは、特に、端末装置２側で、取得を所望とする情報の種別を選択項目により選択できるようになっている。
【００２１】
従来技術に係るコンテンツ配信システムでは、端末装置側で取得できる情報が限定的であり、ガイドブック的な情報をユーザに提示し、その中から所望とする情報をユーザ側で取捨選択する必要があった。これに対して、本発明の実施形態に係るコンテンツ配信システムでは、端末装置２側で、ユーザが所望とする種別のコンテンツのみを取得し、表示できる。換言すれば、端末装置２側では、複雑な操作を伴うことなく、ユーザのニーズに合致したコンテンツに効率的且つ迅速にアクセスできることになる。さらに、例えば外国人等に対して情報取得のために不慣れな言語の単語の入力作業を不要とし、そもそも検索キーワードが分からず情報取得ができないといった状況も回避できる。
【００２２】
詳細は後述するが、端末装置２が、ＮＦＣタグ３との近距離無線通信により取得した位置情報としての位置コードをコンテンツ配信装置１に送信すると、コンテンツ配信装置１側では、先ずは当該位置コードに対応するコンテンツの保有状況を確認し、保有状況に係る情報を端末装置２側に返信する。端末装置２では、表示プログラムの実行により実現される機能により、コンテンツの保有状況に係る情報に基づいて、選択できる情報の種別を提示する。この情報の種別は、例えば、５Ｗ１Ｈ（Ｗｈａｔ／Ｗｈｉｃｈ／Ｗｈｅｒｅ／Ｗｈｅｎ／Ｗｈｙ／Ｈｏｗ）の各項目の表示の強弱等により示される。
【００２３】
そして、ユーザ操作により、配信を所望するコンテンツの種別が選択されると、その選択情報がコンテンツ配信装置１側に送信され、コンテンツ配信装置１では、選択情報に対応するコンテンツを特定し、端末装置２側に送信する。端末装置２側では、このコンテンツを受信すると、表示プログラムの実行により実現される機能により、液晶ディスプレイ等の表示部にコンテンツに基づく表示を行う。
【００２４】
図２には、本発明の実施形態に係るコンテンツ配信システムにおけるコンテンツ配信装置１の構成を示し、説明する。
【００２５】
同図に示されるように、コンテンツ配信装置１は、制御部１１と、通信部１２と、記憶部１３とを有する。制御部１１と、通信部１２と、記憶部１３とは、制御バス１６を介して通信可能に接続されている。これら構成のほか、キーボードやマウス等の入力部や、各種表示を行う液晶ディスプレイ等の表示部を有してもよい。
【００２６】
通信部１２は、例えば、ネットワークインタフェースカード（NIC；Network Interface Card）等により実現されるもので、インターネット等の通信網４と有線又は無線で接続され、端末装置２等との間で通信を行う通信インタフェースである。
【００２７】
記憶部１３は、例えば、ＲＡＭ（Random Access Memory）やフラッシュメモリ（Flash Memory）等の半導体メモリ素子、ハードディスクドライブ（HDD；Hard Disc Drive）、または光ディスク装置等で実現されるもので、制御部１１で実行されるコンテンツ配信プログラムを予め記憶している。また、記憶部１３は、ユーザ情報記憶部１４とコンテンツ記憶部１５とを有する。
【００２８】
ユーザ情報記憶部１４は、ユーザＩＤを主キーとして、ニックネームと、国籍と、使用言語と、電子メールアドレスと、プッシュ通知可不可を対応付けて記憶している。これらは、一例であって、他に多様な情報を記憶することも可能である。
【００２９】
コンテンツ記憶部１５は、正規化された３種類の第１乃至第３テーブルにより、配信するコンテンツを記憶している。詳細は、図１２で後述するが、第１テーブルは、位置情報としての位置コードと、目的地コードと、参照すべき第２テーブルのＩＤとを対応付けて記憶している。第２テーブルは、５Ｗ１Ｈの各選択項目と、参照すべき第３テーブルのＩＤとを対応付けて記憶している。そして、第３テーブルは、各言語コードに対応したコンテンツを記憶している。また、選択項目の下位層がある場合には当該下位層にあたる細項目と各言語別のコンテンツとを対応付けて記憶している。
【００３０】
制御部１１は、ＣＰＵ（Central Processing Unit）やＭＰＵ（Micro Processing Unit）等で実現され、記憶部１３に記憶されているコンテンツ配信プログラムを実行することで、受付部１１ａ、抽出部１１ｂ、生成部１１ｃ、及び送信部１１ｄとして機能する。制御部１１は、ＡＳＩＣ（Application Specific Integrated Circuit）やＦＰＧＡ（Field Programmable Array）等の集積回路で構成されてよい。
【００３１】
受付部１１ａは、端末装置２からのコンテンツ配信要求を受け付ける。具体的には、受付部１１ａは、端末装置２から送信されたユーザＩＤと位置コード等を受け付けることになる。抽出部１１ｂは、受付部１１ａからユーザＩＤと位置コード等を受け取り、記憶部１３のユーザ情報記憶部１４、及びコンテンツ記憶部１５第１乃至第３のテーブルを参照して、配信すべきコンテンツを抽出する。生成部１１ｃは、抽出部１１ｂが抽出したコンテンツを受け取り、加工が必要な場合には、コンテンツの加工を行い、ＨＴＭＬファイル等を生成する。送信部１１ｄは、生成部１１ｃからコンテンツを受け取り、当該コンテンツを、通信部１２を介して端末装置２に送信する。
【００３２】
図３には、本発明の実施形態に係るコンテンツ配信システムにおける端末装置の構成を示し説明する。
【００３３】
同図に示されるように、端末装置２は、制御部２１と、通信部２２と、ＲＦＩＤリーダライタ２３と、操作部２４と、表示部２５と、記憶部２６とを有する。各部２１〜２６は、制御バス２７を介して通信自在に接続されている。
【００３４】
通信部２２は、例えば、ＮＩＣ等により実現されるもので、インターネット等の通信網４と有線又は無線で接続され、コンテンツ配信装置１等との間で通信を行う通信インタフェースである。
【００３５】
ＲＦＩＤリーダライタ２３は、ＮＦＣタグ３との間で近距離無線通信を行うことで、ＮＦＣタグ３のデータの読み取り又は書込みを行う。
【００３６】
操作部２４は、マウスやキーボード等で実現され、ユーザによる各種操作入力を受け付ける。表示部２５は、液晶ディスプレイ等により実現され、各種表示を行う。尚、操作部２４と表示部２５とをタッチパネルとして一体に構成してもよい。
【００３７】
記憶部２６は、例えば、ＲＡＭやフラッシュメモリ等の半導体メモリ素子、ＨＤＤ、または光ディスク装置等で実現されるもので、制御部１１で実行される表示プログラムを記憶している。
【００３８】
制御部２１は、ＣＰＵやＭＰＵ等で実現され、記憶部２６に記憶されている表示プログラムを実行することで、取得部２１ａ、生成部２１ｂ、要求部２１ｃ、受信部２１ｄ、表示制御部２１ｅとして機能する。なお、制御部１１は、ＡＳＩＣやＦＰＧＡ等の集積回路で構成されてよい。
【００３９】
取得部２１ａは、ＲＦＩＤリーダライタ２３を制御し、ＮＦＣタグ３からのＲＦ信号を受信し、位置情報としての位置コードを取得する。生成部２１ｂは、所定の目的地コードを生成する。ここで、目的地コードとは、駅コード、路線コード、及び観光地コードの組み合わせからなる。駅コード、路線コード、及び観光地コードについては、端末装置２内で他の経路案内、路線案内、観光ガイドのプリケーションプログラムが実行されている場合には、それらアプリケーションと連携することで取得可能である。
【００４０】
要求部２１ｃは、コンテンツ配信装置１に対してコンテンツ配信要求を行う。要求部２１ｃは、このコンテンツ配信要求に際しては、ユーザＩＤと、言語コードと、位置情報としての位置コードと、目的地コードがある場合には目的地コードと、をコンテンツ配信装置１に送信する。
【００４１】
受信部２１ｄは、コンテンツ配信装置１から送信された識別情報を、通信部２２を介して受信する。ここで、識別情報とは、５Ｗ１Ｈの選択項目のそれぞれについて、コンテンツ配信装置１がコンテンツを保有しているか否かを示す情報である。また、受信部２１ｄは、コンテンツ配信装置１からのコンテンツを、通信部２２を介して受信する。コンテンツには、テキストデータのほか、動画、静止画、音声等、種々のデータが含まれる。コンテンツ配信装置１側でコンテンツの加工等が行われた場合には、生成されたＨＴＭＬファイル等を受信することになる。
【００４２】
表示制御部２１ｅは、コンテンツ配信装置１から送信された識別情報に基づいて、表示部２５にて、５Ｗ１Ｈの選択項目のそれぞれについて、コンテンツ保有状態を、保有する場合には強調表示、保有しない場合には消灯表示するように制御する。また、表示制御部２１ｅは、コンテンツ配信装置１から送信されたコンテンツに基づく表示を、表示部２５にて行うように制御する。
【００４３】
図４には、本発明の実施形態に係るコンテンツ配信システムで用いるＲＦＩＤタグとしてのＮＦＣタグの構成を示し説明する。
【００４４】
同図に示されるように、ＮＦＣタグ３は、制御部３１と、アンテナ部３２と、記憶部３３とを有する。制御部３１は、ＮＦＣタグ３全体の制御を司るものであり、ＣＰＵ等で構成されている。記憶部３３は、位置情報等を記憶している。アンテナ部３２は、端末装置２との間でＲＦ信号による近距離無線通信を実施するものである。このような構成において、アンテナ部３２を介した端末装置２との通信が開始されると、制御部３１は記憶部３３の位置情報を読み出し、アンテナ部３２を介して送信するように制御することになる。
【００４５】
以下、図５のフローチャートを参照して、本発明の実施形態に係るコンテンツ配信システムによるユーザ登録の処理手順を詳細に説明する。
【００４６】
端末装置２において、制御部２１の制御の下、表示プログラムをダウンロードし、インストールすると（Ｓ１）、ユーザの属性情報の入力画面が表示部２５に表示され、操作部２４の操作により、例えば、ニックネーム、国籍、使用言語、電子メールアドレス、プッシュ通知可不可等の属性情報が入力されると（Ｓ２）、制御部２１の要求部２１ｃが、通信部２２を介して、これら属性情報をコンテンツ配信装置１に送信し、ユーザ登録の要求を行う（Ｓ３）。
【００４７】
コンテンツ配信装置１では、制御部１１の受付部１１ａが、端末装置２から送信された属性情報を受信し、受け付けると（Ｓ４）、ユーザＩＤを発行し（Ｓ５）、記憶部１３のユーザ情報記憶部１４にユーザＩＤと属性情報とを対応付けて記憶する（Ｓ６）。そして、制御部１１の送信１１ｄは、通信部１２を介して、ユーザＩＤを端末装置２へと送信する（Ｓ７）。
【００４８】
端末装置２は、コンテンツ配信装置１から送信されたユーザＩＤを、受信部２１ｄが通信部２２を介して受信すると（Ｓ８）、記憶部２６に記憶する（Ｓ９）。こうして、ユーザ登録に係る一連の処理を終了する。
【００４９】
次に、図６のフローチャートを参照して、本発明の実施形態に係るコンテンツ配信システムによるコンテンツ取得の処理手順を詳細に説明する。
【００５０】
処理を開始すると、先ず、端末装置２で、制御部２１が、記憶部２６に記憶されている表示プログラムを起動する（Ｓ１０）。そして、観光地や駅構内等に配設されたＮＦＣタグ３に端末装置２をかざすと、端末装置２の取得部２１ａの制御の下、ＲＦＩＤリーダライタ２３とＮＦＣタグ３のアンテナ部３２との間でＲＦ信号に基づく近距離無線通信を実行する。これにより、端末装置２では、取得部２１ａが、ＮＦＣタグ３の記憶部３３に予め記憶されている位置情報としての位置コードを取得する（Ｓ１１）。
【００５１】
続いて、端末装置２では、生成部２１ｂが、目的地コード（Dx；Destination Code）を生成する（Ｓ１２）。具体的には、生成部２１ｂは、駅コード（Sx；Station Code）、路線コード（Rx；Route Code）、及び観光地コード（Tx；Tourist Code）を、端末装置２内で他の経路案内、路線案内、観光ガイド等のプリケーションプログラムが実行されている場合には、それらアプリケーションと連携することで取得し、それらコードの組み合わせにより目的地コードを生成する。例えば、Sx=0000（：駅外一般）、Rx=000（：ルート設定なし）、Tx=000（：設定なし）である場合には、Dx=0000000000のように生成されることになる。但し、これは一例であって、これには限定されない。
【００５２】
次いで、端末装置２では、要求部２１ｃが、コンテンツ配信装置１に対して、コンテンツの配信を要求する（Ｓ１３）。より具体的には、要求部２１ｃは、ユーザＩＤと、言語コードと、位置コードと、目的地コードとを通信部２２を介してコンテンツ配信装置１に送信することで、コンテンツの配信を要求する。
【００５３】
コンテンツ配信装置１では、通信部１２を介して、受付部１１ａが、これらユーザＩＤと、言語コードと、位置コードと、目的地コードとを受け付ける（Ｓ１４）。そして、抽出部１１ｂが、コンテンツ記憶部１５の第１テーブルを参照して、位置コードと目的地コートとから特定される第２テーブルのＩＤを抽出し（Ｓ１５）、当該ＩＤに基づいてコンテンツ記憶部１５の第２テーブルを特定し、当該第２テーブルを参照し、５Ｗ１Ｈの各選択項目に対応するコンテンツの保有状況を確認する（Ｓ１６）。そして、送信制御部１１ｄの制御の下、通信部１２を介して、５Ｗ１Ｈの各選択項目についてのコンテンツの保有状況を識別するための識別情報を送信する（Ｓ１７）。
【００５４】
端末装置２では、受信部２１ｄが通信部２２を介して識別情報を受信する（Ｓ１８）。そして、表示制御部２１ｅが、識別情報に基づいて、５Ｗ１Ｈのコンテンツ種別の選択画面を表示部２５に表示する（Ｓ１９）。このとき、５Ｗ１Ｈの選択項目のうちコンテンツを保有している項目については強調表示とし、コンテンツを保有していない項目については消灯表示とする。従って、ユーザは、コンテンツ取得可能な項目を瞬時に見分けることが可能となる。
【００５５】
端末装置２では、ユーザによる操作部２４の操作により、コンテンツの配信を所望とする項目を選択されると（Ｓ２０）、要求部２１ｃが、選択された項目のＩＤを、通信部２２を介してコンテンツ配信装置１に送信する（Ｓ２１）。このとき、選択された項目について更なる細項目がある場合には、表示制御部２１ｅの制御の下、表示部２５の表示を切り替え、細項目の選択を促す。そして、操作部２４の操作により細項目が選択されると、細項目のＩＤも併せてコンテンツ配信装置１に送信する。
【００５６】
コンテンツ配信装置１では、受付部１１ａが、通信部１２を介して、項目及び細項目のＩＤを受付け（Ｓ２２）、抽出部１１ｂが、コンテンツ記憶部１５の第２テーブルを参照して、項目のＩＤに対応する第３テーブルのＩＤを特定し（Ｓ２３）、当該第３テーブルを参照して、細項目のＩＤと言語コードとに基づいてコンテンツを抽出する（Ｓ２４）。コンテンツには、テキストデータ、静止画、動画、音声データ等を含む。これらコンテンツについて加工等が必要な場合には、生成部１１ｃが、加工を行い、ＨＴＭＬファイル等を生成することになる。コンテンツ配信装置１では、送信部１１ｄが、通信部１２を介して、コンテンツを端末装置２に送信する（Ｓ２５）。
【００５７】
端末装置２は、受信部２１ｄが、通信部２２を介してコンテンツ配信装置１から送信されてきたコンテンツを受信する（Ｓ２６）。そして、表示制御部２１ｅの制御の下、表示部２５にコンテンツを表示する（Ｓ２７）。こうして、コンテンツ取得に関する一連の処理を終了する。
【００５８】
ここで、図７乃至図１１を参照して、図６で前述した処理手順により実現される実際の表示例を詳細に説明する。
【００５９】
図７に示す例は、駅構内で道案内を行うものである。駅構内に配設されたＮＦＣタグ３に端末装置２をかざすと、端末装置２に画面１００が表示される。この例では、５Ｗ１Ｈの選択項目が表示されている。ユーザが、このコンテンツの種別項目から配信を所望とする項目をタップすると、画面が切り替わる。この例では、５Ｗ１Ｈのうち、Ｗｈｉｃｈが選択された場合を想定している。項目Ｗｈｉｃｈが選択されると、画面１０１に表示が切り替わり、道案内のコンテンツが表示される。この例では、英語で、○○線の○○駅のホームが左方向に２５０ｍ進んだところにある旨の示唆がなされている。
【００６０】
図８に示す例は、駅のホームで次発電車の案内を行うものである。駅のホームに配設されたＮＦＣタグ３に端末装置２をかざすと、端末装置２に画面１０２が表示される。この例では、５Ｗ１Ｈの選択項目が表示されている。ユーザが、このコンテンツの種別項目から配信を所望とする項目をタッチすると、画面が切り替わる。この例では、５Ｗ１Ｈのうち、Ｗｈｅｎが選択された場合を想定している。項目Ｗｈｅｎが選択されると、画面１０３に表示が切り替わり、次発電車の案内のコンテンツが表示される。この例では、英語で○○線、○○駅、次の電車は２番ホームから８分３０秒後発である旨の示唆がなされている。
【００６１】
図９に示す例は、駅の構内で現在位置、施設、出口等の案内を行うものである。駅の構内に配設されたＮＦＣタグ３に端末装置２をかざすと、端末装置２に画面１０４が表示される。この例では、５Ｗ１Ｈの選択項目が表示されている。ユーザが、このコンテンツの種別項目から配信を所望とする項目をタッチすると、画面が切り替わる。この例では、５Ｗ１Ｈのうち、Ｗｈｅｒｅが選択された場合を想定している。項目Ｗｈｅｒｅが選択されると、画面１０５に表示が切り替わり、細項目が表示される。この例では、Ｈｅｒｅ（現在地）、Ｔｏｉｌｅｔ（トイレ）、Ｌｏｃｋｅｒ（コインロッカー）、Ｅｘｉｔ（出口）の４つの細項目が選択可能に表示される。細項目Ｈｅｒｅがタップされると、画面１０６に切り換わり、現在位置を示すコンテンツが表示される。この例では、地図上に、現在位置がポインタで明示されている。
【００６２】
図１０に示す例は、店の店頭等で店の詳細を案内するものである。店の店頭等に配設されたＮＦＣタグ３に端末装置２をかざすと、端末装置２に画面１０７が表示される。この例では、５Ｗ１Ｈの選択項目が表示されている。ユーザが、このコンテンツの種別項目から配信を所望とする項目をタッチすると、画面が切り替わる。この例では、５Ｗ１Ｈのうち、Ｗｈａｔが選択された場合を想定している。項目Ｗｈａｔが選択されると、画面１０８に表示が切り替わり、細項目が表示される。この例では、Ｉｎｓｉｄｅ（内覧）、Ｍｅｎｕ（料理メニュー）、Ｒｅｖｉｅｗ（口コミ）の３つの細項目が選択可能に表示される。細項目Ｉｎｓｉｄｅがタップされると、画面１０９に切り換わり、内覧を示すコンテンツが表示される。この例では、店内の様子を撮影した写真が示される。一方、図１１に示されるように、画面１０８において、細項目Ｒｅｖｉｅｗがタップされると、画面１１０又は画面１１１に切り換わり、口コミを示すコンテンツが表示される。
【００６３】
次に、図１２乃至図１６を参照して、第１乃至第３テーブルの構造、その参照形式、及び特定されるコンテンツとの関係について詳細に説明する。
【００６４】
図１２に示されるように、第１テーブル２００は、位置コードと目的地コードから、次に参照すべき第２テーブル２０１のＩＤを特定できるような構造となっている。なお、駅コード、路線コード、設置詳細情報は、管理用に記載しているにすぎない。第２テーブル２０１は、複数用意されており、それぞれにＩＤが付与されている。各第２テーブル２０１は、５Ｗ１Ｈの項目ごとに、次に参照すべき第３テーブル２０２のＩＤを特定できるような構造となっている。項目ごとに参照すべき第３テーブルが存在する場合にはＩＤが記録され、存在しない場合にはＮｕｌｌが記録されているので、第２テーブル２０２を参照することで、配信すべきコンテンツを保有しているか否かを判断可能である。
【００６５】
第３テーブル２０２は、複数用意されており、それぞれにＩＤが付与されている。各第３テーブル２０２は、細項目と言語コードによりコンテンツを特定できるような構造となっている。換言すれば、各第３テーブル２０２には、細項目ごとに複数言語のコンテンツが記録されている。ここで、コンテンツとは、テキストデータ、静止画、動画、音声データ等を含む概念である。
【００６６】
コンテンツ配信装置１では、抽出部１１ｂが、端末装置１から送信された位置コード及び目的地コードに基づいて、第１テーブル２００を参照して、次に参照すべき第２テーブル２０１を特定する。この例では、位置コード００００３、目的地コード００００００００００に基づいて、第２テーブルのＩＤ「Ａ」を特定する。そして、ＩＤ「Ａ」の第２テーブル２０１を参照し、５Ｗ１Ｈの各項目について次に参照すべき第３テーブルのＩＤを特定する。このとき、第３テーブルのＩＤが記録されている項目についてはコンテンツを保有しており、記録されていない項目についてはコンテンツを保有していないと判断できるので、抽出部１１ｂは、コンテンツの保有／非保有に係る識別情報を生成することが可能である。端末装置２では、この識別情報に基づいて、５Ｗ１Ｈの各項目について配信すべきコンテンツの有無に応じて、強調表示／消灯表示を行う。
【００６７】
端末装置２から選択された項目のＩＤを受けると、抽出部１１ｂは、第２テーブル２０１を再び参照して、当該ＩＤで特定される項目について、次に参照すべき第３テーブル２０２のＩＤを特定し、当該ＩＤに基づいて対応する第３テーブル２０２を参照する。そして、細項目のＩＤと、言語コードとに基づいて、配信すべきコンテンツを特定することになる。この例では、項目Ｗｈｅｒｅが選択されているので、参照すべき第３テーブル２０２のＩＤは「ａ」となり、細項目としてＨｅｒｅが選択され、言語コードが０２（英語）である場合を想定しているので、配信対象がコンテンツｘに特定される。
【００６８】
以上の処理によれば、図１３に示されるようなコンテンツが特定される。即ち、項目Ｗｈｉｃｈが選択された場合には、乗り換えに係るテキストデータからなるコンテンツ３００に配信対象が特定される。項目Ｗｈｅｒｅ、細項目Ｈｅｒｅが選択された場合には、現在位置を示す画像データからなるコンテンツ３０１に配信対象が特定される。
【００６９】
次に、図１４に示す例では、コンテンツ配信装置１において、抽出部１１ｂが、位置コード００００３、目的地コード０００００００００２（浅草寺）に基づいて、第２テーブルのＩＤ「Ｂ」を特定する。そして、ＩＤ「Ｂ」の第２テーブル２０３を参照し、５Ｗ１Ｈの各項目について次に参照すべき第３テーブル２０４のＩＤを特定する。このとき、第３テーブル２０４のＩＤが記録されている項目についてはコンテンツを保有しており、記録されていない項目についてはコンテンツを保有していないと判断できるので、抽出部１１ｂは、コンテンツの保有／非保有に係る識別情報を生成することが可能である。端末装置２では、この識別情報に基づいて、５Ｗ１Ｈの各項目について配信すべきコンテンツの有無に応じて、強調表示／消灯表示を行う。
【００７０】
端末装置２から選択された項目のＩＤを受けると、抽出部１１ｂは、第２テーブル２０３を再び参照して、当該ＩＤで特定される項目について、次に参照すべき第３テーブル２０４のＩＤを特定し、当該ＩＤに基づいて対応する第３テーブル２０４を参照する。そして、細項目のＩＤと、言語コードに基づいて、配信すべきコンテンツを特定することになる。この例では、項目Ｗｈｉｃｈが選択されているので、参照すべき第３テーブル２０４のＩＤは「ｂ」となる。この例では、当該項目に細項目はないので、言語コード（０２；英語）に基づいて配信対象がコンテンツｘに特定される。
【００７１】
以上の処理によれば、図１５に示されるようなコンテンツが特定される。即ち、項目Ｗｈｉｃｈが選択された場合には、現在位置を示す画像データ、及び乗り換え案内に係るテキストデータからなるコンテンツ３０２に配信対象が特定される。
【００７２】
次に、図１６に示す例では、コンテンツ配信装置１において、抽出部１１ｂは、位置コード００００３、目的地コード０００１００１０００に基づいて、第２テーブルのＩＤ「Ｃ」を特定する。そして、ＩＤ「Ｃ」の第２テーブル２０５を参照し、５Ｗ１Ｈの各項目について次に参照すべき第３テーブル２０６のＩＤを特定する。このとき、第３テーブル２０６のＩＤが記録されている項目についてはコンテンツを保有しており、記録されていない項目についてはコンテンツを保有していないと判断できるので、抽出部１１ｂは、コンテンツの保有／非保有に係る識別情報を生成することができる。端末装置２では、この識別情報に基づいて、５Ｗ１Ｈの各項目について配信すべきコンテンツの有無に応じて強調表示／消灯表示を行う。尚、端末装置２において別のルート検索アプリケーションプログラムが実行されている場合には、テーブル２０７により行先の変遷により特定されるルートを把握することができる。このテーブル２０７によれば、「１」→「２」→「３」→「４」とルートが形成されているので、現在位置が「１」である場合には次に「２」に行くように、「２」である場合には次に「３」に行くように、テーブル２００で位置コード及び目的地コードで特定される内容と相俟って、適切な情報を取得することが可能となる。
【００７３】
端末装置２から選択された項目のＩＤを受けると、抽出部１１ｂは、第２テーブル２０５を再び参照して、当該ＩＤで特定される項目について、次に参照すべき第３テーブル２０６のＩＤを特定し、当該ＩＤに基づいて対応する第３テーブル２０６を参照する。そして、細項目のＩＤと、言語コートとに基づいて、配信すべきコンテンツを特定することになる。この例では、項目Ｗｈｉｃｈが選択されているので、参照すべき第３テーブル２０６のＩＤは「ｃ」となる。この例では、当該項目に細項目はないので、言語コード（０２；英語）に基づいて配信対象がコンテンツｘに特定される。以上の処理により特定されるコンテンツは、先に図１５に示したものと同様となる。
【００７４】
以上説明したように、本発明の実施形態によれば、スマートフォン等の端末装置を、ＲＦＩＤタグの一種であるＮＦＣタグにかざすだけで、近距離無線通信が実行され、端末装置はＮＦＣタグの位置コードを取得することができる。そして、端末装置は、この位置コードを含むコンテンツ配信要求をコンテンツ配信装置に送信すると、位置コード等に対応するコンテンツを取得し、表示することができる。このとき、端末装置側では、配信を所望とするコンテンツの種別を選択項目より選択できるようになっているので、辞書的、ガイドブック的なコンテンツではなく、ユーザのニーズに合致したコンテンツを精度よく取得することが可能となる。つまり、一般的な検索エンジンに対する検索キーワードの入力のような煩わしい入力操作は必要ではなく、ＮＦＣタグに端末装置をかざし、例えば５Ｗ１Ｈのようなシンプルな選択項目の中から配信を所望とするコンテンツの種別を選択するだけで、自己の所望するコンテンツを効率よく入手することができる。
【００７５】
例えば、駅構内にＮＦＣタグを設置すれば、駅構内における道案内や乗り継ぎ案内、現在位置の案内、出発時刻の案内等、多様なコンテンツを、しかもユーザの所望とするものに訴求して提供することが可能となる。また、観光地にＮＦＣタグを設置すれば、例えば設置場所が神社であれば、参拝の作法等のコンテンツに訴求して提供することも可能となる。さらに、商店街にＮＦＣタグを設置すれば、各店舗の内覧やメニュー等を入店することなく、事前に確認することも可能となる。
【００７６】
以上のほか、ユーザ登録時にプッシュ通知をオンとしておければ、ＮＦＣタグの位置情報に基づいて、好適なプッシュ通知を受信することも可能となる。
【００７７】
以上、本発明の一実施形態について説明したが、本発明はこれに限定されることなく、その趣旨を逸脱しない範囲で、種々の改良・変更が可能であることは勿論である。
【００７８】
例えば、ＲＦＩＤタグとしては、前述したＮＦＣタグに限定される近距離無線通信が可能な各種のものを採用することができる。
【符号の説明】
【００７９】
１…コンテンツ配信装置、２…端末装置、３…ＮＦＣタグ、４…通信網、１１…制御部、１１ａ…受付部、１１ｂ…抽出部、１１ｃ…生成部、１１ｄ…送信部、１２…通信部、１３…記憶部、１４…ユーザ情報記憶部、１５…コンテンツ記憶部、１６…制御バス、２１…制御部、２１ａ…取得部、２１ｂ…生成部、２１ｃ…要求部、２１ｄ…受信部、２１ｅ…表示制御部、２２…通信部、２３…ＲＦＩＤリーダライタ、２４…操作部、２５…表示部、２６…記憶部、２７…制御バス、３１…制御部、３２…アンテナ部、３３…記憶部。
【図１】
2020042690.tif 000003
【図２】
2020042690.tif 000004
【図３】
2020042690.tif 000005
【図４】
2020042690.tif 000006
【図５】
2020042690.tif 000007
【図６】
2020042690.tif 000008
【図７】
2020042690.tif 000009
【図８】
2020042690.tif 000010
【図９】
2020042690.tif 000011
【図１０】
2020042690.tif 000012
【図１１】
2020042690.tif 000013
【図１２】
2020042690.tif 000014
【図１３】
2020042690.tif 000015
【図１４】
2020042690.tif 000016
【図１５】
2020042690.tif 000017
【図１６】
2020042690.tif 000018